(57)【要約】【課題】  携帯電子機器と棒状体とを収容可能でありながら、構造がシンプルな携帯電子機器用のケースを提供することを課題とする。【解決手段】  携帯電子機器の背面に装着されるケース本体と、該ケース本体の前面を覆うためのカバーとを備え、前記カバーは、柔軟性を有する膜体を表面に有し、該膜体には、片状の片状部が含まれ、該片状部により棒状体を保持するホルダーが構成されている携帯電子機器用のケース。【選択図】図１
2018153567.tif 000002
【特許請求の範囲】
【請求項１】
携帯電子機器の背面に装着されるケース本体と、該ケース本体の前面を覆うためのカバーとを備え、前記カバーは、柔軟性を有する膜体を表面に有し、該膜体には、片状の片状部が含まれ、該片状部により棒状体を保持するホルダーが構成されている携帯電子機器用のケース。
【請求項２】
前記片状部の先端が前記カバーの外縁に対応する位置又は前記カバーの外縁よりも内側に配置されている請求項１に記載の携帯電子機器用のケース。
【請求項３】
前記膜体は、少なくとも前記カバーの前面をカバーするように構成され、且つ前記カバーの前面側で開放する前側切欠が形成され、前記ホルダーは、該前側切欠に収納可能である請求項１又は請求項２に記載の携帯電子機器用のケース。
【請求項４】
前記片状部が前記膜体自体で構成されている請求項１乃至請求項３の何れか１項に記載の携帯電子機器用のケース。
【発明の詳細な説明】
【技術分野】
【０００１】
本発明は、タブレットやスマートフォン等の携帯電子機器用のケースに関し、特に、タッチペン等の棒状体を収容するホルダー付きのケースに関する。
【背景技術】
【０００２】
従来から、携帯電子機器をケースに収容することによって、携帯電子機器を保護したり、携帯電子機器の外観に特徴を持たせたりすることがあり、かかるケースには、携帯電子機器に加えて棒状体を収容できるように構成されたものがある。
【０００３】
例えば、特許文献１に開示されているケースは、携帯電子機器の背面にあてがうケース本体と、該ケース本体に開閉可能に連設されたカバーと、該カバーに設けられたホルダーであって、タッチペンを保持可能なホルダーとを備えている（特許文献１の図７、及び図１２参照）。
【０００４】
前記ケースは、ケース本体に携帯電子機器を収容できるとともに、ホルダーにタッチペンを保持することができるため、携帯電子機器とタッチペンとをまとめて携行できるようになっている。
【先行技術文献】
【特許文献】
【０００５】
【特許文献１】特開２０１６−１０６７３７号公報
【発明の概要】
【発明が解決しようとする課題】
【０００６】
ところで、従来のケースのホルダーは、帯状の生地を環状にしてカバーに接合（縫合）することで構成されており、カバーの外縁よりも外側に延出している。
【０００７】
そのため、従来のケースでは、部品点数が多くなることで構造が複雑になり、また、外観の統一感も薄くなる。このような事情から、ユーザーからは、よりシンプルでまとまりのある外観のケースが望まれることがある。
【０００８】
そこで、本発明は、かかる実情に鑑み、携帯電子機器と棒状体とを収容可能でありながら、構造がシンプルな携帯電子機器用のケースを提供することを課題とする。
【課題を解決するための手段】
【０００９】
本発明の携帯電子機器用のケースは、携帯電子機器の背面に装着されるケース本体と、該ケース本体の前面を覆うためのカバーとを備え、前記カバーは、柔軟性を有する膜体を表面に有し、該膜体には、片状の片状部が含まれ、該片状部により棒状体を保持するホルダーが構成されている。
【００１０】
かかる構成によれば、カバーの表面を構成する膜体の一部によって棒状体を保持するためのホルダーが構成されているため、該ホルダーの構造がシンプルになる。
【００１１】
また、本発明の携帯電子機器用のケースにおいて、前記片状部の先端が前記カバーの外縁に対応する位置又は前記カバーの外縁よりも内側に配置されていてもよい。
【００１２】
かかる構成によれば、ホルダーを構成する片状部の先端がカバーの外縁よりも外側に延出しないため、ケース全体の外観に統一感が生まれる。
【００１３】
さらに、本発明の携帯電子機器用のケースにおいて、前記膜体は、少なくとも前記カバーの前面をカバーするように構成され、且つ前記カバーの前面側で開放する前側切欠が形成され、前記ホルダーは、該前側切欠に収納可能であってもよい。
【００１４】
かかる構成によれば、ホルダーをカバーから飛び出さないようにして前側切欠に収納しておくことができるため、ケース全体の外観に統一感が生まれる。
【００１５】
さらに、本発明の携帯電子機器用のケースにおいて、前記片状部は、前記膜体自体で構成されていてもよい。
【００１６】
かかる構成によれば、ホルダーがカバーを構成する膜体自体で構成されているため、ホルダーとカバーの色味や素材感に統一感が生まれる。
【発明の効果】
【００１７】
以上のように、本発明の携帯電子機器用のケースによれば、携帯電子機器と棒状体とを収容可能でありながら、構造がシンプルであるという優れた効果を奏し得る。
【図面の簡単な説明】
【００１８】
【図１】図１は、本発明の一実施形態に係る携帯電子機器用のケースを外側から見た図である。
【図２】図２は、同実施形態に係る携帯電子機器用のケースを内側から見た図である。
【図３】図３は、同実施形態に係る携帯電子機器用のケースの分解図である。
【図４】図４は、同実施形態に係る携帯電子機器用のケースの断面図であって、図３のＩＶ−ＩＶ線の断面図である。
【図５】図５は、同実施形態に係る携帯電子機器用のケースの使用状態の説明図であって、（ａ）は携帯電子機器のみを収容した状態のケースをカバー側から見た図であり、（ｂ）は携帯電子機器のみを収容した状態のケースをケース本体側から見た図である。
【図６】図６は、同実施形態に係る携帯電子機器用のケースの使用状態の説明図であって、（ａ）は携帯電子機器と棒状体とを収容した状態のケースをカバー側から見た図であり、（ｂ）は携帯電子機器と棒状体とを収容した状態のケースをケース本体側から見た図である。
【図７】図７は、本発明の他実施形態に係る携帯電子機器用のケースを外側から見た図である。
【図８】図８は、本発明の別の実施形態に係る携帯電子機器用のケースを外側から見た図である。
【図９】図９において、（ａ）、（ｂ）はホルダーの作り方の説明図である。
【図１０】図１０は、本発明のさらに別の実施形態に係る携帯電子機器用のケース野膜体を外側から見た図である。
【図１１】図１１は、図１０の片状部を用いたホルダーの作り方の説明図である。
【発明を実施するための形態】
【００１９】
以下、本発明の一実施形態に係る携帯電子機器用のケース（以下、ケースと称する）について、添付図面を参照しつつ説明する。
【００２０】
ケースは、タブレットや、スマートフォン、電子辞書等の携帯電子機器と、タッチペンや、筆記具等の棒状体とをまとめて収容することができるように構成されている。
【００２１】
より具体的に説明すると、ケース１は、図１及び図２に示すように、携帯電子機器Ｔに装着されるケース本体２と、該ケース本体２上（ケース本体２の前面）を覆うためのカバー３と、棒状体を保持するためのホルダー４とを備えている。
【００２２】
ケース本体２は、携帯電子機器Ｔの背面を受ける受部２０と、該受部２０の外周部で携帯電子機器Ｔの外周側部を保持するように構成された保持部２１と、受部２０に連続し且つカバー３が接続されるケース側固定部２２とを有する（図３参照）。
【００２３】
受部２０は、薄板状であり、一方の面が携帯電子機器Ｔの背面にあてがわれるように構成されている。そのため、受部２０の一方の面は、ケース１の内面となり、受部２０の他方の面は、ケース１の外面となる。
【００２４】
なお、本実施形態に係る受部２０は、平面視において矩形状となるように形成されている。
【００２５】
保持部２１は、受部２０の外周部から立ち上がるように形成されている。また、保持部２１には、図３に示すように、配置用切欠２１０が形成されており、該配置用切欠２１０は、受部２０の外周部から立ち上がる方向に向けて開放された凹状となっている。
【００２６】
ケース側固定部２２は、受部２０の外周部で構成されており、より具体的には、受部２０の外周部を薄肉にした部分で構成されている。そのため、ケース側固定部２２は、全域に亘って受部２０よりも薄い薄板状となっている。
【００２７】
また、ケース側固定部２２は、受部２０の外周部に沿って延びている。上述のように、受部２０は、平面視において矩形状となるように形成されているため、ケース側固定部２２は、受部２０の一辺に沿うようにして真っ直ぐに延びている。
【００２８】
ケース側固定部２２には、面方向における外方側に向けて開放する凹状の出入切欠２２０が形成されている。この出入切欠２２０は、ケース１の厚み方向でケース側固定部２２を貫通するように形成されている。
【００２９】
カバー３は、図１及び図２に示すように、ケース本体２を装着した携帯電子機器Ｔの前面を覆う被覆部３０と、該被覆部３０を前記ケース本体２に対して開閉可能に接続する接続部３１であって、前記ケース本体２の外周部に接続される接続部３１とを有する。
【００３０】
ここで、カバー３の構造についてより詳述する。本実施形態に係るカバー３は、芯材Ｃと、該芯材Ｃの表面を覆う膜体５とで構成されている。なお、本実施形態に係るカバー３では、互いに間隔をあけて並ぶようにして三枚の芯材Ｃが配置されている。
【００３１】
膜体５は、図４に示すように、芯材Ｃの前面（カバー３を閉じた状態で外側に向けて配置される一面）に重ねて配置される前側膜部５０と、前記芯材Ｃの背面（カバー３を閉じた状態で内側に向けて配置される一面）に重ねて配置される背側膜部５１とを有する。そのため、カバー３の前表面（カバー３を閉じた状態で外側に配置される一面）は前側膜部５０によって構成され、カバー３の背表面（カバー３を閉じた状態で外側に配置される一面）は背側膜部５１によって構成されている。なお、膜体５は、柔軟性を有する素材で構成されている。
【００３２】
なお、本実施形態においては、前側膜部５０と背側膜部５１とが別体の生地で構成されている。
【００３３】
前側膜部５０は、図１に示すように、芯材Ｃの前面を覆う前側被覆部５００と、該前側被覆部５００の外周から延出する前側延出片部５０１とを有する。
【００３４】
前側被覆部５００は、受部２０の形状に合わせて平面視において矩形状となるように形成されている。また、前側被覆部５００は、各芯材Ｃの前面に接合されている。
【００３５】
前側延出片部５０１には、先端から基端側に向けて延びる一対の切込（以下、前側切込と称する）５０１ａが形成されている。一対の前側切込５０１ａは、前側延出片部５０１が前側被覆部５００から延出する方向に沿って真っ直ぐに延びるように形成されている。そのため、一対の前側切込５０１ａは、互いに平行である。
【００３６】
また、一対の前側切込５０１ａは、前側延出片部５０１の先端から基端にかけて延びている（すなわち、前側延出片部５０１の延出方向全長に亘って延びている）。
【００３７】
そのため、本実施形態の前側延出片部５０１は、一対の前側切込５０１ａによって三つの領域に分断されており、それぞれが基端部（前側被覆部５００と連続している端部）を起点として独立して動くようになっている。
【００３８】
これに伴い、前側延出片部５０１は、互いに間隔をあけて配置される一対の接続片５０２と、該一対の間に配置される片状部５０３とを有する構成となっている。なお、本実施形態では、前側延出片部５０１の接続片５０２を前側接続片５０２と称し、前側延出片部５０１の片状部５０３を前側片状部５０３と称して以下の説明を行うこととする。
【００３９】
そして、前側膜部５０では、前側被覆部５００（前側被覆部５００の外周縁）と一対の前側接続片５０２とによって、一つの前側切欠５０１ｂが確定されており（図１、及び図６（ｂ）参照）、該前側切欠５０１ｂは、前側延出片部５０１の先端から基端側に向かって凹状となっている。
【００４０】
前側接続片５０２は、ケース側固定部２２（ケース側固定部２２の外面）に重ね合わせた状態で接合されている。そして、前側接続片５０２の基端部は、ケース側固定部２２から外側に延出した状態になっている。そのため、前側接続片５０２は、前側被覆部５００から延出し且つ変形可能な前側変形部５０２ａと、該前側変形部５０２ａから延出し且つケース側固定部２２に固定される前側固定部５０２ｂとを有する。
【００４１】
前側片状部５０３は、前側切欠５０１ｂ内で前側被覆部５００から外方に延出するように形成されている。また、前側片状部５０３の長さ（前側被覆部５００からの延出方向における長さ）は、前記前側切欠５０１ｂの深さと同一又は略同一となっている。
【００４２】
背側膜部５１は、図２に示すように、芯材Ｃの背面を覆う背側被覆部５１０と、該背側被覆部５１０の外周から延出する背側延出片部５１１とを有する。
【００４３】
背側被覆部５１０は、芯材Ｃを介して前側被覆部５００と重なり合うように配置されている。背側被覆部５１０も、受部２０の形状に合わせて平面視において矩形状となるように形成されている。また、背側被覆部５１０は、各芯材Ｃの背面に接合されている。
【００４４】
背側延出片部５１１には、先端から基端側に向けて延びる一対の切込（以下、背側切込と称する）５１１ａが形成されている。一対の背側切込５１１ａは、背側延出片部５１１が背側被覆部５１０から延出する方向に沿って真っ直ぐに延びるように形成されている。そのため、一対の背側切込５１１ａは、互いに平行である。
【００４５】
また、一対の背側切込５１１ａは、背側延出片部５１１の先端から基端にかけて延びている（すなわち、背側延出片部５１１の延出方向全長に亘って延びている）。
【００４６】
そのため、本実施形態の背側延出片部５１１は、一対の背側切込５１１ａによって三つの領域に分断されており、それぞれが基端部（背側被覆部５１０と連続している端部）を起点として独立して動くようになっている。
【００４７】
これに伴い、背側延出片部５１１は、互いに間隔をあけて配置される一対の接続片５１２と、該一対の間に配置される片状部５１３とを有する構成となっている。なお、本実施形態では、背側延出片部５１１の接続片５１２を背側接続片５１２と称し、背側延出片部５１１の片状部５１３を背側片状部５１３と称して以下の説明を行うこととする。
【００４８】
そして、背側膜部５１では、背側被覆部５１０（背側被覆部５１０の外周縁）と一対の背側接続片５１２とによって、一つの背側切欠５１１ｂが確定されており（図２、及び図６（ｂ）参照）、該背側切欠５１１ｂは、背側延出片部５１１の先端から基端側に向かって凹状となっている。
【００４９】
さらに、本実施形態では、前側切欠５０１ｂと、出入切欠２２０と、背側切欠５１１ｂとが互いに対応する位置に形成されているため、前側切欠５０１ｂと、出入切欠２２０と、背側切欠５１１ｂとが前記厚み方向で連通することによって、一つの収容切欠５１４が構成されている。また、前側切欠５０１ｂと、出入切欠２２０と、背側切欠５１１ｂとは、互いの深さが同一又は略同一となるように形成されている。
【００５０】
背側接続片５１２は、ケース側固定部２２（ケース側固定部２２の内面）に重ね合わせた状態で接合されている。そのため、背側接続片５１２は、ケース側固定部２２を介して前側接続片５０２と重なり合うように配置されている。
【００５１】
背側接続片５１２は、ケース側固定部２２に重ね合わせた状態で接合されている。そして、背側接続片５１２の基端部は、ケース側固定部２２から外側に延出した状態になっている。そのため、背側接続片５１２は、背側被覆部５１０から延出し且つ変形可能な背側変形部５１２ａと、該背側変形部５１２ａから延出し且つケース側固定部２２に固定される背側固定部５１２ｂとを有する。
【００５２】
背側片状部５１３は、背側切欠５１１ｂ内で前側被覆部５００から外方に延出するように形成されている。また、背側片状部５１３の長さ（背側被覆部５１０からの延出方向における長さ）は、背側切欠５１１ｂの深さと同一又は略同一となっている。
【００５３】
さらに、背側片状部５１３と前側片状部５０３とは、それぞれの先端部が互いに接合されており、これにより、環状のホルダー４が構成されている。そのため、ホルダー４の長さ（前側被覆部５００及び背側被覆部５１０から延出する方向における長さ）は、収容切欠５１４の深さと同一又は略同一となっている。
【００５４】
また、ホルダー４は、前側片状部５０３の基端部、背側片状部５１３の基端部を起点としてケース側固定部２２や、前側接続片５０２、背側接続片５１２に対して独立して動くように構成されており、収容切欠５１４に収容した状態と、収容切欠５１４から引き出した状態とに切替可能である。
【００５５】
本実施形態に係るケース１の構成は、以上の通りである。続いて、ケース１の使い方について説明する。
【００５６】
ケース１を使用する場合、まず、ケース本体２を携帯電子機器Ｔに装着する。本実施形態では、携帯電子機器Ｔを受部２０に重ねて配置すると、該携帯電子機器Ｔの外周側部が保持部２１によって保持される。これにより、携帯電子機器Ｔがケース本体２に嵌め込まれた状態になり、カバー３を閉じると該カバー３によって携帯電子機器Ｔの前面が覆われ、カバー３を開くと携帯電子機器Ｔの前面が開放される。
【００５７】
本実施形態に係るケース１では、ホルダー４に棒状体Ｐを保持（本実施形態では、挿通）させない場合は、図５（ａ）、及び図５（ｂ）に示すように、ホルダー４を収容切欠５１４に収容できる。
【００５８】
ホルダー４に棒状体Ｐを保持する場合は、図５（ａ）、及び図５（ｂ）に示すように、収容切欠５１４からホルダー４を引き出して、該ホルダー４に棒状体Ｐを挿通する。
【００５９】
ホルダー４は、上述のように、ケース側固定部２２や、前側接続片５０２、背側接続片５１２に対して独立して動くため、他の部位に動きが拘束されず、これにより、収容切欠５１４に対するホルダー４の出し入れ（収容切欠５１４に収容する操作、及び収容切欠５１４から引き出す操作）を円滑に行えるようになっている。
【００６０】
このようにして、携帯電子機器Ｔと棒状体Ｐとをまとめてケース１に収容して携行することができる。
【００６１】
以上のように、本実施形態に係るケース１によれば、かかる構成によれば、カバー３の表面を構成する膜体５の一部によって棒状体Ｐを保持するためのホルダー４が構成されているため、該ホルダー４の構造がシンプルになる。
【００６２】
また、本実施形態に係るケース１では、ホルダー４を構成する前側片状部５０３及び背側片状部５１３が、カバー３の外表面（前表面及び背表面）を構成する膜体５自体で構成されているため、ケース１を構成する部品点数や、各部位の繋ぎ目の数を抑えることができる。
【００６３】
より具体的に説明すると、ケース１では、ホルダー４を構成する前側片状部５０３とカバー３の前表面を構成する前側被覆部５００とが同じ生地で構成され、さらに、ホルダー４を構成する背側片状部５１３とカバー３の背表面を構成する背側被覆部５１０とが同じ生地で構成されているため、ケース１を構成する部品点数が抑えられるとともに、ホルダー４とカバー３との間には繋ぎ目がない構造となる。
【００６４】
従って、ケース１は、携帯電子機器Ｔと棒状体Ｐとを収容可能でありながら、シンプルな構造とすることができる。
【００６５】
さらに、ケース１では、前側片状部５０３及び背側片状部５１３の先端が、カバー３の外縁に対応する位置又は前記カバー３の外縁よりも内側に配置されているため、ホルダー４を構成するための前側片状部５０３の先端がカバー３の外縁よりも外側に延出しないようになっている。
【００６６】
また、本実施形態では、この前側片状部５０３と背側片状部５１３との先端部を互いに接合することでホルダー４を構成しているため、該ホルダー４の先端がカバー３の外縁の一部を構成する接続部３１の外縁と対応する位置に配置される。
【００６７】
さらに、ケース本体２の収容切欠５１４の深さは、前側片状部５０３と背側片状部５１３の長さと同一又は略同一となるように形成されているため、収容切欠５１４に収容されたホルダー４の先端部は、接続部３１の先端部と対応する位置に配置される。そのため、それぞれ別の素材で構成されているケース本体２とホルダー４及び接続部３１との境目がシンプルな線形となり、これにより、ケース１を背面から見たときの外観の良さが高まる。
【００６８】
また、収容切欠５１４に収容されたホルダー４の基端部は、被覆部３０の外周縁と対応する位置に配置されるため、ケース１全体としての外周形状に凹凸ができず、ケース１を前面や背面から見たときの外観形状（ケース１全体の外観形状）に統一感が生まれる。
【００６９】
そして、本実施形態に係るケース１では、カバー３の前表面で開放する収容切欠５１４にホルダー４を収容できるように構成されているため、ホルダー４をケース１の厚み方向においてカバー３から飛び出さないようにして前側切欠５０１ｂに収納しておくことができる。従って、ケース１全体の外観に統一感が生まれるようにしてホルダー４を前側切欠５０１ｂに収納しておくことができる。
【００７０】
なお、本実施形態に係る前側切欠５０１ｂに対して前記厚み方向で出入切欠２２０と、背側切欠５１１ｂとが連通することによって、前記厚み方向でケース本体２とカバー３とを貫通する一つの収容切欠５１４が構成されており、該収容切欠５１４に対してホルダー４を出し入れ（収容又は引き出し）できるようになっている。
【００７１】
そのため、本実施形態に係るケース１では、収容切欠５１４に収容したホルダー４が前記厚み方向において接続部３１から外側に突出しないようになっている。すなわち、ホルダー４を構成する前側片状部５０３の外面を、接続部３１を構成する前側固定部５０２ｂの外面に対応する位置（前記厚み方向において対応する位置）に配置できる。従って、本実施形態に係るケース１は、側面から見たときの外観の良さも高まる。
【００７２】
さらに、本実施形態に係るケース１では、上述のように、カバー３の外表面（前表面及び背表面）を構成する膜体５自体で構成することによって、ホルダー４とカバー３との間に繋ぎ目がない状態になっているため、ホルダー４を収容切欠５１４から引き出した状態であっても、ホルダー４とカバー３とに一体感が生まれるため、外観の良さが高まる。
【００７３】
なお、本発明のケースは、上記一実施形態に限定されるものではなく、本発明の要旨を逸脱しない範囲において種々変更を行うことは勿論である。
【００７４】
上記実施形態において、膜体５は、芯材Ｃの前面と背面とに重ね合わせて配置されていたが、この構成に限定されない。例えば、膜体５は、芯材Ｃの前面のみに重ね合わせて配置されていてもよい。このように、膜体５は、少なくとも芯材Ｃの前面に重ね合わせて配置されていればよい。また、換言すれば、膜体５は、カバー３の少なくとも前表面を構成していればよい。
【００７５】
上記実施形態において、カバー３は、芯材Ｃの前面と背面とに膜体５を貼り合わせることで構成されていたが、この構成に限定されない。例えば、カバー３は、膜体５を直接貼り合わせたもので構成されていてもよいし、一枚の膜体５のみで構成されていてもよい。
【００７６】
上記実施形態において、前側膜部５０と背側膜部５１とは別体の生地で構成されていたが、この構成に限定されない。例えば、前側膜部５０と背側膜部５１とは一つの生地で構成されていてもよい。
【００７７】
上記実施形態において、ホルダー４は、カバー３の接続部３１に対応する位置に形成されていたが、例えば、被覆部３０に形成してもよい。この場合、ホルダー４は、図７に示すように、被覆部３０の中央部に形成したり、図８に示すように、被覆部３０の外周部に形成したりしてもよい。なお、ホルダー４を被覆部３０の中央部に形成する場合は、一対の前側切込５０１ａに連続する接続切込５０１ｃを形成して前側片状部５０３を構成したり、図７においては図示していないが、一対の背側切込５１１ａに連続する切込を形成して背側片状部５１３を構成したりすればよい。
【００７８】
上記実施形態において、ホルダー４は、前側片状部５０３と、背側片状部５１３とを接合することで構成されていたが、この構成に限定されない。例えば、図９（ａ）に示すように、前側片状部５０３のみを環状にしてホルダー４を構成したり、図９（ｂ）に示すように、背側片状部５１３のみを環状にしてホルダー４を構成したりしてもよい。
【００７９】
上記実施形態において、ホルダー４は、前側片状部５０３の先端部と、背側片状部５１３の先端部とを接合することで構成されていたが、この構成に限定されない。例えば、ホルダー４は、前側片状部５０３と背側片状部５１３とを全体的に接合したものによって構成されていてもよい。
【００８０】
この場合、例えば、図１０、及び図１１に示すように、前側片状部５０３、背側片状部５１３を、前側接続片５０２、背側接続片５１２よりも長めに形成し、該前側片状部５０３と該背側片状部５１３とを重ね合わせて接合したものを環状にしてホルダー４を構成してもよい。
【００８１】
上記実施形態において、ホルダー４は、膜体５（前側片状部５０３及び背側片状部５１３）のみで構成されていたが、この構成に限定されない。例えば、ホルダー４は、前側片状部５０３や、背側片状部５１３に延設した別体の生地を含む構成となっていてもよい。すなわち、ホルダー４には、一部であれば膜体５とは別の生地を用いてもよい。
【符号の説明】
【００８２】
１…ケース、２…ケース本体、３…カバー、４…ホルダー、５…膜体、２０…受部、２１…保持部、２２…ケース側固定部、３０…被覆部、３１…接続部、５０…前側膜部、５１…背側膜部、２１０…配置用切欠、２２０…出入切欠、５００…前側被覆部、５０１…前側延出片部、５０１ａ…前側切込、５０１ｂ…前側切欠、５０１ｃ…接続切込、５０２…接続片（前側接続片）、５０２ａ…前側変形部、５０２ｂ…前側固定部、５０３…片状部（前側片状部）、５１０…背側被覆部、５１１…背側延出片部、５１１ａ…背側切込、５１１ｂ…背側切欠、５１２…接続片（背側接続片）、５１２ａ…背側変形部、５１２ｂ…背側固定部、５１３…片状部（背側片状部）、５１４…収容切欠、Ｃ…芯材、Ｐ…棒状体、Ｔ…携帯電子機器
【図１】
2018153567.tif 000003
【図２】
2018153567.tif 000004
【図３】
2018153567.tif 000005
【図４】
2018153567.tif 000006
【図５】
2018153567.tif 000007
【図６】
2018153567.tif 000008
【図７】
2018153567.tif 000009
【図８】
2018153567.tif 000010
【図９】
2018153567.tif 000011
【図１０】
2018153567.tif 000012
【図１１】
2018153567.tif 000013
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
携帯電子機器の背面に装着されるケース本体と、該ケース本体の前面を覆う又は開放することができるように該ケース本体に対して開閉可能なカバーと、該カバーに設けられたホルダーであって、棒状体を保持するためのホルダーとを備えるとともに、前記ホルダーを出し入れするための収容切欠が形成され、
前記カバーは、柔軟性を有する膜体を表面に有し、
該膜体には、片状の片状部が含まれ、
前記ホルダーは、該片状部により環状に構成されるとともに、環状のまま前記収容切欠に出し入れ可能である携帯電子機器用のケース。
【請求項２】
前記片状部の先端が前記カバーの外縁に対応する位置又は前記カバーの外縁よりも内側に配置されている請求項１に記載の携帯電子機器用のケース。
【請求項３】
前記膜体は、少なくとも前記カバーの前面をカバーするように構成され、前記収容切欠には、前記カバーの前面側で開放するように形成された前側切欠が含まれる請求項１又は請求項２に記載の携帯電子機器用のケース。
【請求項４】
前記片状部が前記膜体自体で構成されていている請求項１乃至請求項３の何れか１項に記載の携帯電子機器用のケース。
【請求項５】
前記収容切欠には、前記ケース本体に形成された出入切欠が含まれている請求項１乃至請求項４の何れか１項に記載の携帯電子機器用のケース。
【手続補正２】
【補正対象書類名】明細書
【補正対象項目名】０００９
【補正方法】変更
【補正の内容】
【０００９】
本発明の携帯電子機器用のケースは、携帯電子機器の背面に装着されるケース本体と、該ケース本体の前面を覆う又は開放することができるように該ケース本体に対して開閉可能なカバーと、該カバーに設けられたホルダーであって、棒状体を保持するためのホルダーとを備えるとともに、前記ホルダーを出し入れするための収容切欠が形成され、前記カバーは、柔軟性を有する膜体を表面に有し、該膜体には、片状の片状部が含まれ、前記ホルダーは、該片状部により環状に構成されるとともに、環状のまま前記収容切欠に出し入れ可能である。
【手続補正３】
【補正対象書類名】明細書
【補正対象項目名】００１３
【補正方法】変更
【補正の内容】
【００１３】
さらに、本発明の携帯電子機器用のケースにおいて、前記膜体は、少なくとも前記カバーの前面をカバーするように構成され、前記収容切欠には、前記カバーの前面側で開放するように形成された前側切欠が含まれていてもよい。
【手続補正４】
【補正対象書類名】明細書
【補正対象項目名】００１６
【補正方法】変更
【補正の内容】
【００１６】
かかる構成によれば、ホルダーがカバーを構成する膜体自体で構成されているため、ホルダーとカバーの色味や素材感に統一感が生まれる。
さらに、本発明の携帯電子機器用のケースにおいて、前記収容切欠には、前記ケース本体に形成された出入切欠が含まれていてもよい。